(57)【要約】【課題】起立補助が行え、装置の大重量化や大型化を避けられるのみならず、すわりが安定した座椅子を提供する。【解決手段】基台１の縁部に設けられた水平方向の座回動軸周りに上方へ回動可能に着座部３が備えられ、この着座部３に前記回動の力を与えるレバー７が設けられる。このレバー７は、基台１に設けられた水平方向のレバー回動軸周りに回動し、このレバー７の回動しようとする力は支持バー１９により着座部３に伝えられる。レバー７は、伸ばすために引き出し可能とする多重筒構造を有する。この引き出したレバー７の先端部は、着座者２５の膝の間にあって着座部３より若干上方に位置する。【選択図】図1
2006192167.tif 000002
【特許請求の範囲】
【請求項１】
基台と、この基台に設けられた水平方向の座回動軸と、この座回動軸周りに上方へ回動可能に備えられる着座部と、この着座部に設けられ着座者が上から押すことで前記回動の力を与えるレバーと、を有することを特徴とする起立補助機能付き座椅子。
【請求項２】
基台と、この基台の縁部に設けられた水平方向の座回動軸と、この座回動軸周りに上方へ回動可能に備えられる着座部と、この着座部に前記回動の力を与えるレバーと、このレバーを回動させるために前記基台に設けられた水平方向のレバー回動軸と、前記レバーの力を前記着座部に伝えるリンク構造体と、レバーを伸ばすために引き出し可能とするレバーの多重筒構造と、この引き出した状態で着座者の膝の間にあって着座部より若干上方に位置するレバーの先端部と、を有することを特徴とする起立補助機能付き座椅子。
【発明の詳細な説明】
【技術分野】
【０００１】
この発明は、高齢者等が着座の状態から起立するのを補助する機能を有する座椅子に関する。
【背景技術】
【０００２】
高齢者等の膝の力や背筋の弱い方が、着座した状態から起立する際、まず前屈、前傾し四つん這いになって、腕で体重の一部を支え、ひざに加わる体重の負荷を軽減してから立ち上がり動作に入る。しかしながら、前傾するのも容易ではない場合が多い。
従来の座椅子において起立動作を補助する技術は、下記の特許文献１の技術のように、モーターなどの駆動装置を備えたものがほとんどで、中には、特許文献２の技術のように、コンプレッサによる空気の圧力でお尻を押す技術が開示される。これらの装置は、モーターやコンプレッサなどが必要で、重量が重く大型になりやすい。
【特許文献１】特開2003-235902
【特許文献２】特開2000-225149  これに対し、下記の特許文献３は、駆動装置などによらないで、座面が体重により傾斜することで、起立補助に用いることが可能と思われる技術が開示される。この技術によれば、装置の大重量化や大型化を避けられる。
【特許文献３】特開平10-113254
【発明の開示】
【発明が解決しようとする課題】
【０００３】
しかしながら、前記特許文献３によれば、座面が体重により傾斜するので、座面が安定せず、すわり心地が悪いという問題を生じる。
この発明は、以上の問題点を解決するために、起立補助が行え、装置の大重量化や大型化を避けられるのみならず、すわりが安定した座椅子を提供することを目的とする。
【課題を解決するための手段】
【０００４】
以上の課題を解決するために、第一発明は、基台と、この基台に設けられた水平方向の座回動軸と、この座回動軸周りに上方へ回動可能に備えられる着座部と、この着座部に設けられ着座者が上から押すことで前記回動の力を与えるレバーと、を有することを特徴とする起立補助機能付き座椅子である。
【０００５】
第二発明は、基台と、この基台の縁部に設けられた水平方向の座回動軸と、この座回動軸周りに上方へ回動可能に備えられる着座部と、この着座部に前記回動の力を与えるレバーと、このレバーを回動させるために前記基台に設けられた水平方向のレバー回動軸と、前記レバーの力を前記着座部に伝えるリンク構造体と、レバーを伸ばすために引き出し可能とするレバーの多重筒構造と、この引き出した状態で着座者の膝の間にあって着座部より若干上方に位置するレバーの先端部と、を有することを特徴とする起立補助機能付き座椅子である。
【発明の効果】
【０００６】
第一、又は第二発明によれば、着座者は、起立時に前屈により前に移動した自己の体重で、レバーを上から押すことで、着座部に上方へ回動する力を与え、自分の腰が下から押し上げられる。よって、起立補助が行える。駆動装置などは用いないので、装置の大重量化や大型化を避けられる。また、レバーを押さない限り、着座部は安定しており、すわり心地がよい。
【０００７】
第二発明によれば、更に、レバーはを重筒構造によって引き出し可能とすることで、使用しないときは押し込めて収納しておくことができ、邪魔にならない。また、レバーの先端が着座者の膝の間にあって着座部より若干上方に位置することで、起立時の前屈が浅くても体重をかけやすい。
【発明を実施するための最良の形態】
【０００８】
この発明の実施形態を、図1〜図３に示す。
基台１は、全体が箱状で、上面は開口している。この箱状の開口を閉じる蓋部が板状の着座部３である。
【０００９】
箱状の開口の四縁部のうち一つの縁部に、Ｕ字状の切欠５（図２（Ｃ）参照）が形成され、この切欠５に、３重筒構造によって引き出し可能なレバー７が配置される。レバー７の３重筒構造は、外筒９と中筒１１と内筒１３からなり、外筒９の先端は水平方向に配置されるレバー回動軸１５周りに回動自在に取り付けられ、レバー回動軸１５は切欠５に取り付けられる。また、外筒９から中筒１１が引き出し可能に、中筒１１から内筒１３が引き出し可能に設けられ、内筒１３の先端部１３Ａには丸い摘みが形成される。引き出して抜け落ちないように、図示しないストッパが設けられる。
【００１０】
外筒９の後端は、連結ピン１７Ａにより支持バー１９の下端に連結され、支持バー１９の上端は連結ピン１７Ｂにより、板状の着座部３の裏側後端に連結される。着座部３の前端は、座回動軸２１により、基台回動可能に取り付けられる。外筒９、支持バー１９、着座部３により略三角形状のリンク構造体２３が形成される。レバー７の力はこのリンク構造体２３を介して、着座部３に伝達される。
【００１１】
図２（Ａ）に示すように、レバー７は前方上方を向いており、引き出して伸ばした状態で、先端部が着座者２５（図１参照）の膝の間にあって着座部３より若干上方に位置するよう全体の長さが設定される。この伸ばしたレバー７の先端部１３Ａを、着座者２５が体重を使って手２７で上から押すことで、回動の力を与えることができる。
【００１２】
「実施形態の効果」
この実施形態によれば、着座者２５は、レバー７を前方に向かせた状態で着座部３にまたいで座る。そして起立時に、レバー７を引き出して伸ばし、前屈により前に移動した自己の体重で、レバー７の先端部付近を床方向に押しつけるように上から力を加える。レバー７はレバー回動軸周りに回動し、てこの原理により、支持バー１９を介して着座部３を上方へ回動する力を与える。着座部３は座回動軸周りに上方へ回動する。
【００１３】
これにより着座者２５は、自分の腰が下から押し上げられる。よって、膝に負荷をかけることなく膝が伸ばされ、起立補助が行える。
構造を非常にシンプルにでき、駆動装置などは用いないので、装置の大重量化や大型化を避けられる。また、レバー７を押さない限り、着座部３は安定しており、すわり心地がよい。
【００１４】
更に、レバー７は外筒９、中筒１１、内筒１３の３重筒構造によって、引き出し伸ばすことを可能とすることで、使用しないときは押し込めて箱状の基台１の中に収納しておくことができ、邪魔にならない。また、レバー７の先端が着座者２５の膝の間にあって着座部３より若干上方に位置することで、着座者２５は起立時の前屈が浅くても体重をかけやすく、操作がしやすい。
【００１５】
「他の実施形態」
以上の実施形態では、座回動軸２１とレバー回動軸１５の二つの回動軸が設けられたが、他の実施形態では、一つの回動軸で二つの回動軸を兼ねるものとしてもよい。
以上の実施形態では、基台１は箱状としてが、他の実施形態では、４脚を有するスケルトンのフレーム構造でもかまわない。
【００１６】
以上の実施形態では、レバー７は１本の棒状であったが、他の実施形態では、実質２本で先端が結合したＵ字形状のものでもかまわない。
以上の実施形態では、レバー７は多重筒構造で伸縮可能としたが、他の実施形態では、単にレバー７がスライド式に着座部３の下部に収納されるものとしてもよい。
以上の実施形態では、しゃがんで着座した状態から起立する場合を説明したが、正座から起立する場合にも、本願発明の起立補助機能付き座椅子を使用できる。起立補助機能付き座椅子の上に正座し、両膝をついて、左右や前後は片手をつきながら、レバーを押しながら起立する。
【図面の簡単な説明】
【００１７】
【図１】この発明の一実施形態を示す装置の使用状態図である。
【図２】（Ａ）はレバーを縮めた状態での装置の側面図            （Ｂ）は（Ａ）の平面図            （Ｃ）は（Ａ）の正面図である。
【図３】（Ａ）は図２（Ａ）のＩＩＩＡ−ＩＩＩＡ断面図            （Ｂ）は図２（Ａ）のＩＩＩＢ−ＩＩＩＢ断面図である。
【符号の説明】
【００１８】
１…基台、３…着座部、５…切欠、７…レバー、９…外筒、１１…中筒、１３…内筒、１５…レバー回動軸、１７…連結ピン、１９…支持バー、２１…座回動軸、２３…リンク構造体、２５…着座者。
【図１】
2006192167.tif 000003
【図２】
2006192167.tif 000004
【図３】
2006192167.tif 000005